(57)【特許請求の範囲】
【請求項１】
複数の貫通孔が形成された前壁と、
前記前壁に対向して配置される後壁と、
前記前壁と前記後壁の間の吸音空間において、前記前壁と前記後壁を連結することにより、前記吸音空間を複数の区画領域に区画する複数の区画壁とを備え、
前記前壁を前記区画壁に着脱可能とし、
前記複数の区画壁は、前記後壁に固定された複数の固定壁と、前記後壁に着脱可能の複数の非固定壁と、を有し、
前記後壁には、隣り合う前記固定壁同士の間に、前記非固定壁の嵌合を受け入れる嵌合溝が複数条並設されており、
前記複数条の前記嵌合溝に対しては、少なくとも１つの前記非固定壁が嵌合されている、
ことを特徴とする、吸音パネル。
【請求項２】
前記前壁は、前記区画壁に形成された係合部に着脱可能とされていることを特徴とする、請求項１に記載の吸音パネル。
【請求項３】
前記係合部は、前記前壁とは貫通孔の形態が異なる別の前壁に着脱可能とされていることを特徴とする、請求項２に記載の吸音パネル。
【請求項４】
前記貫通孔の形態は、少なくとも前記貫通孔の深さであることを特徴とする、請求項３に記載の吸音パネル。
【請求項５】
前記前壁には、鉤状部を有する係止片が設けられ、当該鉤状部が前記係合部に着脱可能に係合されることを特徴とする、請求項３または請求項４に記載の吸音パネル。
【発明の詳細な説明】
【技術分野】
【０００１】
本発明は、音を吸収する吸音パネルに関する。
【背景技術】
【０００２】
従来、室内における残響発生の抑止あるいは騒音防止等を目的として、音を吸収する吸音パネルが用いられている。このような吸音パネルの一例として、特許文献１に記載のレゾネータ型防音パネルがある。
【０００３】
特許文献１に記載のレゾネータ型防音パネルは、所謂ヘルムホルツの共鳴器に相当するレゾネータを備えている。レゾネータは、パネル内部に形成された中空部と、当該中空部と外部を連通させるスリットとからなる。スリットの開口端面積および深さと、中空部の容積は、目的とする周波数（共振周波数）に応じた値に設定されている。
【０００４】
このレゾネータ型防音パネルによれば、目的とする周波数の音のエネルギーをスリットを介して中空部に取り込んで減衰させることにより、その周波数の音を吸音することができる。
【先行技術文献】
【特許文献】
【０００５】
【特許文献１】特開平８−２４６４２１号公報
【発明の概要】
【発明が解決しようとする課題】
【０００６】
しかしながら、特許文献１に記載のレゾネータ型防音パネルは、全体が一体成形されているため、施工現場に応じて吸音周波数を変更することが困難である。
【０００７】
本発明は、上記の事情に鑑みて成されたものであり、施工現場に応じて吸音周波数を容易に変更することができる吸音パネルを提供することを目的とする。
【課題を解決するための手段】
【０００８】
上記の課題を解決するために、本発明は、複数の貫通孔が形成された前壁と、前記前壁に対向して配置される後壁と、前記前壁と前記後壁の間の吸音空間において、前記前壁と前記後壁を連結することにより、前記吸音空間を複数の区画領域に区画する複数の区画壁とを備え、前記前壁を前記区画壁に着脱可能とし、前記複数の区画壁は、前記後壁に固定された複数の固定壁と、前記後壁に着脱可能の複数の非固定壁と、を有し、前記後壁には、隣り合う前記固定壁同士の間に、前記非固定壁の嵌合を受け入れる嵌合溝が複数条並設されており、前記複数条の前記嵌合溝に対しては、少なくとも１つの前記非固定壁が嵌合されている、ことを特徴とする吸音パネルを提供する。
【０００９】
本発明における貫通孔と吸音空間は、所謂ヘルムホルツの共鳴器を構成する。本発明は、前壁を区画壁に着脱可能としているので、例えば、前壁を、貫通孔の形態（例えば、貫通孔の深さ、直径、開口形状等）が異なる別の前壁に交換することができる。貫通孔の形態を変更すれば、吸音空間の共振周波数を変更することができる。従って、前壁を取り外して貫通孔の形態が異なる別の前壁に交換することにより、施工現場に応じて吸音周波数を容易に変更することができる。また、前壁を区画壁に着脱可能とすることにより、材質の異なる前壁、装飾の異なる前壁などに交換することもでき、これにより、前壁の耐久性や強度の変更、美観の変更などを容易に行うことができる。
また、本発明によれば、区画壁を、例えば高さが異なる別の区画壁に交換することができる。区画壁の高さを変更すれば、吸音空間の容積が変わり、共振周波数を変更することができる。従って、区画壁を高さが異なる別の区画壁に交換することにより、施工現場に応じて吸音周波数を容易に変更することができる。
【００１０】
本発明においては、前記前壁は、前記区画壁に形成された係合部に着脱可能とされていることが好ましい。
【００１１】
この構成によれば、前壁を区画壁に形成された係合部に係合することにより、前壁を区画壁にしっかりと取り付けることができる。
【００１２】
本発明においては、前記係合部は、前記前壁とは貫通孔の形態が異なる別の前壁に着脱可能とされていることが好ましい。
【００１３】
この構成によれば、係合部から前壁を取り外した後、当該係合部に貫通孔の形態が異なる別の前壁に係合させることにより、施工現場に応じて吸音周波数を容易に変更することができる。
【００１４】
本発明においては、前記貫通孔の形態は、少なくとも前記貫通孔の深さであることが好ましい。
【００１５】
本発明によれば、前壁を取り外して、貫通孔の深さが異なる前壁に交換することにより、吸音周波数を変更することができる。例えば、前壁を貫通孔の深さが大きい前壁に交換すれば、交換前と比べて、共振周波数を小さくして低い音を吸音することができる。また、前壁を貫通孔の深さが小さい前壁に交換すれば、交換前と比べて、共振周波数を大きくして高い音を吸音することができる。
【００１６】
本発明においては、前記前壁には、鉤状部を有する係止片が設けられ、当該鉤状部が前記係合部に着脱可能に係合されることが好ましい。
【００１７】
本発明によれば、係止片の鉤状部が係合部に着脱可能に係合するので、係止片を係合部にしっかりと係合することができる。従って、前壁の交換を可能としつつ、吸音パネルを天井や壁等に設置した状態において前壁が脱落するのを防ぐことができる。
【発明の効果】
【００２２】
以上説明したように、本発明によれば、施工現場に応じて吸音周波数を容易に変更することができる吸音パネルを提供することができる。
【図面の簡単な説明】
【００２３】
【図１】本発明の第１実施形態に係る吸音パネルの構成を示す斜視図である。
【図２】図１に示される吸音パネルのＡ−Ａ線断面の一部を示す図である。
【図３】図１に示される前壁を取り外した状態を示す斜視図である。
【図４】図１に示す前壁とは貫通孔の深さが異なる前壁（第１例）を取り付ける前の状態を示す斜視図である。
【図５】図４に示す前壁を取り付けた状態を示す斜視図である。
【図６】図５に示される吸音パネルのＡ−Ａ線断面の一部を示す図である。
【図７】図１に示す前壁とは貫通孔の深さが異なる前壁（第２例）を取り付けた状態を示す断面図である。
【図８】図１に示す前壁とは貫通孔の直径および配置密度が異なる前壁を取り付けた状態を示す斜視図である。
【図９】図１に示す前壁とは係止片の形状が異なるとともに、図１に示す区画壁とは係合部の形状が異なる例を示す断面図である。
【図１０】図９に示す前壁を取り外した状態を示す断面図である。
【図１１】後壁に対して全ての区画壁を着脱可能とした吸音パネルの第１例を示す断面図である。
【図１２】図１１に示す前壁および後壁を、区画壁から取り外した状態を示す断面図である。
【図１３】後壁に対して全ての区画壁を着脱可能とした吸音パネルの第２例を示す断面図である。
【図１４】図１３に示す前壁および後壁を、区画壁から取り外した状態を示す断面図である。
【図１５】本発明の第２実施形態に係る吸音パネルを示す図であり、（ａ）はその正面図、（ｂ）は（ａ）のＡ方向矢視図である。
【図１６】図１５に示す前壁の裏面図である。
【図１７】図１５に示す後壁および区画壁の正面図である。
【図１８】図１５（ａ）に示される吸音パネルのＢ−Ｂ線断面図である。
【図１９】第２実施形態に係る吸音パネルを建物の壁面に取り付けた状態を示す図であり、（ａ）はその正面図、（ｂ）は（ａ）のＡ方向矢視図である。
【図２０】図１８に示される前壁を取り外した状態を示す断面図である。
【図２１】図１８に示す前壁とは貫通孔の深さが異なる前壁（第１例）を取り付ける前の状態を示す断面図である。
【図２２】図２１に示される前壁を取り付けた状態を示す断面図である。
【図２３】図１８に示される前壁とは貫通孔の深さが異なる前壁（第２例）を取り付ける前の状態を示す断面図である。
【図２４】図２３に示される前壁を取り付けた状態を示す断面図である。
【発明を実施するための形態】
【００２４】
以下、添付図面を参照しながら本発明の好ましい実施の形態について詳述する。
【００２５】
（第１実施形態）
図１〜３を参照しつつ、第１実施形態に係る吸音パネル１について説明する。
【００２６】
図１，２に示されるように、吸音パネル１は、音を吸音するためのパネルであって、前壁２と、後壁３と、複数の区画壁５とを備える。区画壁５は、後壁３に固定される固定壁５１と、前壁２および後壁３に着脱可能に取り付けられる非固定壁５２とからなる。前壁２、後壁３、および最も外側に位置する２つの固定壁５１（以下、「外側の固定壁５１」と称する）により四角筒状の外郭部１５が形成される。前壁２と後壁３の間には、外郭部１５によって囲まれる直方体状の吸音空間ＳＰが形成される。外郭部１５の両端部には、長方形状の開口部ＯＰが形成される。
【００２７】
図１に示される例では、５つの固定壁５１と、８つの非固定壁５２が設けられている。これら固定壁５１および非固定壁５２が、吸音空間ＳＰを複数の区画領域ＳＰ１に区画するとともに、開口部ＯＰを複数の開口部ＯＰ１に区画する。
【００２８】
前壁２は、固定壁５１および非固定壁５２に着脱可能に取り付けられる。
【００２９】
後壁３は、固定壁５１と一体成形される。
【００３０】
以下、各構成要素について詳細に説明する。なお、以下の説明では、固定壁５１の長手方向と平行な方向（開口部ＯＰと直交する方向）を「第１方向」と称し、第１方向と直交しかつ前壁２の第１方向の端部に沿った方向を「第２方向」と称する（図１参照）。
【００３１】
前壁２は、例えば、図１に示されるように長方形状に形成される。前壁２には、複数の貫通孔８が形成される。この貫通孔８は、外部の音を吸音パネル１内に導くとともに、音が貫通孔８を通過する際のエネルギー損失によって吸音するためのものである。図１に示される例においては、正面視で円形の貫通孔８が形成されている。なお、前壁２の形状は長方形状に限定されるものではなく、正方形状等、他の形状であってもよい。
【００３２】
前壁２を構成する素材としては、例えば、ポリスチレン樹脂、ポリエチレン樹脂、塩化ビニル樹脂等の合成樹脂や、金属等の無機質材を挙げることができるが、特に限定はされない。後壁３、および区画壁５も、同様の素材で構成することができる。
【００３３】
前壁２は、後壁３と対向するように後壁３と互いに平行に配置される。前壁２における後壁３側の面（以下、「前壁２の内面」と称する）には、外側の固定壁５１に形成された係合部１１と着脱可能に係合する係止片１０が突設される。係止片１０は、前壁２の第２方向両端部に設けられる。各係止片１０は、前壁２の第１方向に延びる。各係止片１０は、先端に鉤状部を有している。各係止片１０において、鉤状部は、前壁２の中央側に向けて突出するように形成される。鉤状部の先端は丸みを帯びていてもよいし、尖っていてもよい。鉤状部の先端が丸みを帯びていると、鉤状部と係合部１１の間の摩擦力が小さくなり、係止片１０を係合部１１に着脱し易くなる。
【００３４】
前壁２の内面には、外側の固定壁５１より内側に位置する固定壁５１（以下、「内側の固定壁５１」と称する）の一端部が当接する。内側の固定壁５１は、第１方向（外郭部１５の軸方向）に沿って延びている。各内側の固定壁５１は、第２方向に並んでいる。
【００３５】
また、前壁２の内面には、非固定壁５２の一端部を着脱可能にスライド嵌合させる複数の嵌合溝７が形成されている。嵌合溝７は、第１方向に沿って延びている。嵌合溝７は、前壁２の内面に形成される互いに平行な２本の凸条９，９の間の溝である（図２参照）。凸条９，９は、第１方向に沿って延びている。嵌合溝７の数は特に限定されないが、図１に示される例では、隣り合う固定壁５１，５１の間に、３本の嵌合溝７が形成されている。これにより、隣り合う固定壁５１，５１の間に、３つの非固定壁５２を取り付け可能となっている。
【００３６】
複数箇所において、嵌合溝７同士が隣り合っている。嵌合溝７が隣り合ういずれの箇所においても、嵌合溝７同士の間隔Ｓは同じである（図１参照）。また、複数箇所において、嵌合溝７の隣に固定壁５１が位置している。嵌合溝７の隣に固定壁５１が位置するいずれの箇所においても、嵌合溝７と固定壁５１の間隔は、嵌合溝７同士の間隔Ｓと同じである（図１参照）。
【００３７】
後壁３は、前壁２と同じ形状および大きさに形成される。後壁３には、図１に示されるように貫通孔が形成されなくてもよいし、形成されてもよい。後壁３における前壁２側の面には、前壁２に形成された嵌合溝７と対向する位置に嵌合溝７が形成されている。前壁２に形成された嵌合溝７と後壁３に形成された嵌合溝７は相対向しており、この相対向する嵌合溝７によって嵌合溝７の対（以下、「嵌合溝対７，７」と称する）が構成されている。複数の嵌合溝対７，７が、第２方向に並んで配置されている。
【００３８】
固定壁５１は、例えば図１に示されるように長方形状に形成される。固定壁５１は、その後壁３側の端部が後壁３と一体成形される。各固定壁５１は、第１方向に沿って延びるとともに、第２方向に並ぶ。各固定壁５１は、互いに平行に配置される。外側の固定壁５１は、前壁２と後壁３の短辺同士を連結する。前壁２の長辺と後壁３の長辺の間には固定壁５１は設けられない。
【００３９】
外側の固定壁５１は、前壁２側の端部（以下、「前壁側端部」と称する）に係合部１１を有している。係合部１１は、外側の固定壁５１の内面から断面Ｌ字状に突出している（図２参照）。係合部１１は、外側の固定壁５１の内面との間に、外側の固定壁５１の前壁側端部に沿って延びる溝部（以下、「係合溝部１６」と称する）を形成している（図３参照）。係合部１１は、弾性変形によって係合溝部１６の開口幅を拡大できるようになっている。係合溝部１６は、その奥側部分の幅が開口幅よりも大きく形成されている。その奥側部分が係止片１０の鉤状部を包み込むように受け入れる。係止片１０の鉤状部の厚さは、自然状態（係合部１１が弾性変形する前の状態）における係合溝部１６の開口幅よりも若干大きい。しかしながら、係止片１０が係合部１１に係合した状態において、係止片１０を係合部１１から引き離す方向（図２における上方向）に引っ張ると、係合部１１が弾性変形して係合溝部１６の開口幅が一時的に大きくなる。これにより、鉤状部が係合溝部１６の開口部を通過し、係止片１０を係合部１１から取り外すことができる（図３参照）。また、係止片１０が係合部１１から取り外された状態において、係止片１０の鉤状部を係合溝部１６の開口部に位置合わせし、係止片１０を係合溝部１６に向かって押すと、係合部１１が弾性変形して係合溝部１６の開口幅が一時的に大きくなる。これにより、鉤状部を係合溝部１６の奥側部分に嵌合（係合）させて、係止片１０を係合部１１に取り付けることができる。
【００４０】
なお、係止片１０が係合部１１に係合した状態において、係止片１０を長さ方向に引っ張ることにより、係止片１０を係合部１１に対してスライドさせ、係止片１０を係合部１１から取り外すことも可能である。また、係止片１０が係合部１１から取り外された状態において、係止片１０の長さ方向一端部を係合部１１の長さ方向一端部に位置合わせし、係止片１０を係合部１１に対してスライドさせつつ押し込むことにより、係止片１０を係合部１１に係合させることも可能である。このように、前壁２に設けられた係止片１０は、外側の固定壁５１に設けられた係合部１１に着脱可能に係合する。
【００４１】
係止片１０の鉤状部が係合部１１にしっかりと係合するので、前壁２を外側の固定壁５１に取り付けた状態において前壁２を外側の固定壁５１の下側に配置しても、係止片１０が係合部１１から外れない。
【００４２】
非固定壁５２は、前壁２および後壁３に形成された嵌合溝対７，７にその両端部が着脱可能にスライド嵌合する。非固定壁５２における前壁２側の端部と後壁３側の端部の距離は、嵌合溝対７，７における嵌合溝７同士の距離にほぼ等しい。各非固定壁５２は、嵌合溝対７，７に取り付けられた状態において、第１方向に沿って延びるとともに、第２方向に並ぶ。
【００４３】
非固定壁５２の両端部を嵌合溝対７，７に位置合わせし、非固定壁５２の端部を嵌合溝７に対してスライドさせつつ嵌合溝対７，７に押し込むことにより、非固定壁５２を嵌合溝対７，７に取り付けることができる。また、非固定壁５２を嵌合溝対７，７に対してスライドさせつつ嵌合溝対７，７から引き抜くことにより、非固定壁５２を嵌合溝対７，７から取り外すことができる。
【００４４】
図１に示される例では、固定壁５１および非固定壁５２は、吸音空間ＳＰを、第２方向に沿って１２個の区画領域ＳＰ１に区画する。図１の左から３〜１０番目の嵌合溝対７，７には、非固定壁５２が嵌合している。左から１，２，１１，および１２番目の嵌合溝対７，７には、非固定壁５２が嵌合していない。従って、隣り合う嵌合溝７同士の間隔をＳとした場合に、左から順に、幅３Ｓの区画領域ＳＰ１（１個）、幅Ｓの区画領域ＳＰ１（１０個）、幅３Ｓの区画領域ＳＰ１（１個）が形成される。
【００４５】
各区画領域ＳＰ１および貫通孔８により、所謂ヘルムホルツの共鳴器が構成される。
【００４６】
吸音パネル１の外部で発生した音は、複数の貫通孔８を介して複数の区画領域ＳＰ１のそれぞれに伝達される。各区画領域ＳＰ１は、その容積や貫通孔８の径および深さ等に応じた固有の共振周波数を有しており、主としてその共振周波数の音を共振させ、音のエネルギーを熱エネルギーに変換する。これにより、各区画領域ＳＰ１において、主として共振周波数付近の音が吸音される。
【００４７】
図１に示される複数の区画領域ＳＰ１は、容積が統一されていないため、複数の周波数帯の音に対して吸音効果を発揮することができる。その結果、広い周波数帯で吸音効果を発揮することができる。
【００４８】
非固定壁５２を嵌合溝対７，７に対してスライドさせて着脱することにより、吸音空間ＳＰの区画位置を変更して、様々な大きさの区画領域ＳＰ１を形成することができる。これにより、施工現場に応じて吸音パネル１の吸音周波数を容易に変更することができる。
【００４９】
例えば、吸音空間ＳＰの区画位置を変更して、複数の区画領域ＳＰ１の容積を統一すれば、特定の周波数帯の音に対して集中的に吸音効果を発揮することができる。
【００５０】
次に、前壁２を外側の固定壁５１に着脱可能に係合したことによる作用効果について、図３〜６を参照しつつ説明する。
【００５１】
貫通孔８Ａを有する前壁２Ａが予め準備されているものとする（図４〜６参照）。前壁２Ａは、図４〜６に示されるように、前壁２よりも大きな厚さを有するとともに、前壁２の貫通孔８よりも大きな深さを有する貫通孔８Ａを有している。
【００５２】
図３に示されるように、２つの外側の固定壁５１から前壁２を取り外した後、図５，６に示されるように、前壁２Ａの係止部１０を外側の固定壁５１の係合部１１に係合させるとともに、前壁２Ａの各嵌合溝対７，７に非固定壁５２の一端部を嵌合させる。これにより、前壁２を前壁２Ａに交換することができる。貫通孔８Ａの深さが大きい前壁２Ａに交換することにより、交換前と比べて、共振周波数を小さくして低い音を吸音することができる。
【００５３】
なお、前壁２を、貫通孔８よりも貫通孔の深さが小さい前壁に交換してもよい。この場合には、交換前と比べて、共振周波数を大きくして高い音を吸音することができる。
【００５４】
以上説明したように、本実施形態においては、前壁２を外側の固定壁５１に形成された係合部１１に着脱可能とすることにより、前壁２を貫通孔の形態が異なる前壁２Ａに交換することができる。貫通孔の形態（例えば、貫通孔の深さ）を変更すれば、吸音空間ＳＰ１の共振周波数を変更することができる。従って、前壁２を取り外して貫通孔の形態が異なる前壁２Ａに交換することにより、施工現場に応じて吸音周波数を容易に変更することができる。
【００５５】
また、前壁２を外側の固定壁５１に形成された係合部１１に着脱可能とすることにより、前壁２を材質の異なる別の前壁、装飾の異なる別の前壁などに交換することもできる。これにより、前壁の耐久性や強度の変更、美観の変更などを容易に行うことができる。
【００５６】
なお、内側の固定壁５１にも、外側の固定壁５１の係合部１１と同様の係合部（図示せず）を設けるとともに、前壁２の当該係合部に対応する位置に上記係止片１０と同様の係止片（図示せず）を設け、係合部に係止片を着脱可能としてもよい。
【００５７】
また、前壁２を、図７に示される前壁２Ｂに交換してもよい。図７に示される前壁２Ｂは、貫通孔８Ｂの内周縁から吸音空間ＳＰ１側に円筒状に延びる筒状部１２を有する。貫通孔８Ｂの直径と貫通孔８Ａの直径を同じに設定するとともに、貫通孔８Ｂの深さと筒状部１２の長さの和を貫通孔８Ａの深さと同じに設定すれば、図７に示される吸音パネル１Ｂと図５，６に示される吸音パネル１の吸音周波数を同じに設定することができる。
【００５８】
また、前壁２を、図８に示される前壁２Ｃに交換してもよい。図８に示される前壁２Ｃには、図１に示した貫通孔８よりも径が小さくかつ高い密度で貫通孔８Ｃが形成されている。このように貫通孔の直径を変更することによっても、施工現場に応じて吸音パネルの吸音周波数を容易に変更することができる。なお、図８に示される前壁２Ｃは、貫通孔８Ｃの直径とともに深さを変更してもよい。
【００５９】
また、前壁２を、貫通孔の形状が円形以外の形状（例えば、四角等）とされた前壁に交換してもよい。
【００６０】
また、外郭部１５の開口部ＯＰを閉塞する非固定壁（図示せず）を、前壁および後壁に着脱可能に取り付けてもよい。開口部ＯＰを閉塞することにより、吸音効果を高めることができる。
【００６１】
また、非固定壁５２に複数の貫通孔（図示せず）を形成してもよい。非固定壁５２に複数の貫通孔を形成することにより、貫通孔を介して各区画領域内に伝達された音は、貫通孔を介して隣の区画領域内に伝達される。これにより、複数の区画領域を通じて複数段階で吸音がなされ、吸音効率を高めることができる。
【００６２】
また、貫通孔を有する非固定壁の厚みを変更してもよい。貫通孔を有する非固定壁の厚みを変更することにより、貫通孔の深さが変わり、吸音周波数をさらに多様化することができる。
【００６３】
また、非固定壁は、両端部が嵌合溝対７，７に着脱可能な第１壁と、第１壁と直交するとともに複数の貫通孔を有する第２壁（図示せず）とを有する構成としてもよい（つまり、第２壁を有する点が図１に示す非固定壁５２とは異なる）。第１壁は、両端部が嵌合溝対７，７に嵌合した状態で、前壁２と後壁３を連結し、吸音空間ＳＰを前壁２に沿って複数の区画領域に区画する。第２壁は、第１壁の両端部が嵌合溝対７，７に嵌合した状態で前壁２に沿って延びる。そして、第２壁は、吸音パネル１の厚み方向において、吸音空間ＳＰを複数の区画領域に区画する。この構成によれば、第２壁によって区画された前壁２側の区画領域と、後壁３側の区画領域とで２段階で音が吸音される。これにより、吸音効率を高めることができる。また、この非固定壁を、貫通孔の孔径が異なる別の非固定壁と交換することにより、吸音周波数をさらに多様化することができる。
【００６４】
また、図１に示される例では、吸音パネル１は、第１方向の長さよりも第２方向の長さの方が大きいが、これに限定されず、第２方向の長さよりも第１方向の長さの方が大きくてもよい。
【００６５】
また、固定壁５１は、少なくとも吸音パネルを組み立てる時点において前壁２に着脱可能であればよく、組み立て完了後に接着剤等の固定手段により前壁２に固定されてもよい。非固定壁５２についても、少なくとも吸音パネルを組み立てる時点において前壁２および後壁３に着脱可能であればよく、組み立て完了後に接着剤等の固定手段により前壁２および後壁３に固定されてもよい。
【００６６】
（第１実施形態の変形例１）
第１実施形態と同様の構成については、図１と同じ参照符号を付してその説明を省略する。
【００６７】
図９，１０に示されるように、係止片１０および係合部１１に代えて、係止片１０Ｄおよび係合部１１Ｄのような形状を採用してもよい。
【００６８】
図９，１０に示される係止片１０Ｄは、外側の固定壁５１Ｄの壁厚方向両側に突出する鉤状部を有している。係合部１１Ｄは、外側の固定壁５１Ｄの前壁側端部に形成されている。係合部１１Ｄは、外側の固定壁５１Ｄの前壁側端部に沿って延びる係合溝部１６Ｄを有している。係合部１１Ｄは、弾性変形によって係合溝部１６Ｄの開口幅を拡大できるようになっている。係合溝部１６Ｄは、その奥側部分の幅が開口幅よりも大きく形成されている。その奥側部分が係止片１０Ｄの鉤状部を受け入れる。係止片１０Ｄにおける鉤状部の形成部分全体の厚さは、自然状態における係合溝部１６Ｄの開口幅よりも若干大きい。しかしながら、係止片１０Ｄが係合部１１Ｄに係合した状態において、係止片１０Ｄを係合部１１Ｄから引き離す方向（図９における上方向）に引っ張ると、係合部１１Ｄが弾性変形して係合溝部１６Ｄの開口幅が一時的に大きくなる。これにより、鉤状部が係合溝部１６Ｄの開口部を通過し、係止片１０Ｄを係合部１１Ｄから取り外すことができる（図１０参照）。また、係止片１０Ｄが係合部１１Ｄから取り外された状態において、係止片１０Ｄの鉤状部を係合溝部１６Ｄの開口部に位置合わせし、係止片１０Ｄを係合溝部１６Ｄに向かって押すと、係合部１１Ｄが弾性変形して係合溝部１６Ｄの開口幅が一時的に大きくなる。これにより、鉤状部が係合溝部１６Ｄの開口部を通過し、鉤状部を係合溝部１６Ｄの奥側部分に嵌合（係合）させて、係止片１０Ｄを係合部１１Ｄに取り付けることができる。
【００６９】
なお、係止片１０Ｄが係合部１１Ｄに係合した状態において、係止片１０Ｄをその長さ方向に引っ張ることにより、係止片１０Ｄを係合部１１Ｄに対してスライドさせ、係止片１０を係合部１１Ｄから取り外すことも可能である。また、係止片１０Ｄが係合部１１Ｄから取り外された状態において、係止片１０Ｄの長さ方向一端部を係合部１１Ｄの長さ方向一端部に位置合わせし、係止片１０Ｄを係合部１１Ｄに対してスライドさせつつ押し込むことにより、係止片１０Ｄを係合部１１Ｄに係合させることも可能である。このように、前壁２Ｄに設けられた係止片１０Ｄは、外側の固定壁５１Ｄに設けられた係合部１１Ｄに着脱可能に係合する。
【００７０】
本変形例に係る吸音パネル１Ｄにおいても、前壁２Ｄを取り外して貫通孔の形態が異なる前壁に交換することにより、施工現場に応じて吸音周波数を容易に変更することができる。
【００７１】
（第１実施形態の変形例２）
第１実施形態の変形例１と同様の構成については、図９，１０と同じ参照符号を付してその説明を省略する。
【００７２】
図１１，１２に示されるように、全ての区画壁を非固定壁としてもよい。最も外側に位置する２つの非固定壁５２Ｅ（以下、「外側の非固定壁５２Ｅ」と称する）の両端部には、係合部１１Ｄが形成される。外側の非固定壁５２Ｅ以外の非固定壁５２の両端部は、前壁２Ｅおよび後壁３Ｅに形成された嵌合溝対７，７に着脱可能に嵌合する。前壁２Ｅおよび後壁３Ｅの第２方向両端部には、係止片１０Ｄが形成される。
【００７３】
本変形例に係る吸音パネル１Ｅによれば、後壁３Ｅを全ての非固定壁５２，５２Ｅに対して着脱することができる。そして、全ての非固定壁５２，５２Ｅを、高さ（前壁２Ｅおよび後壁３Ｅに直角な方向の長さ）が異なる非固定壁に交換することができる。非固定壁の高さを変更すれば、吸音空間の容積が変わり、共振周波数を変更することができる。従って、非固定壁を高さが異なる非固定壁に交換することにより、施工現場に応じて吸音周波数を容易に変更することができる。
【００７４】
（第１実施形態の変形例３）
第１実施形態の変形例１と同様の構成については、図１と同じ参照符号を付してその説明を省略する。
【００７５】
図１３，１４に示されるように、前壁２Ｆおよび後壁３Ｆの双方に係止部１０を形成するとともに、全ての区画壁を非固定壁としてもよい。さらに、複数の前壁２Ｆ同士を連結するとともに、複数の後壁３Ｆ同士を連結してもよい。
【００７６】
非固定壁には、非固定壁５２Ｆ１、非固定壁５２Ｆ、および非固定壁５２がある。
【００７７】
外側の非固定壁５２Ｆ１の両端部には、係合部１１が形成される。一方の端部に形成された係合部１１は、前壁２Ｆの係止片１０と着脱可能に係合する。他方の端部に形成された係合部１１は、後壁３Ｆの係止片１０と着脱可能に係合する。
【００７８】
隣り合う前壁２Ｆの境界部に位置する非固定壁５２Ｆは、両端部に、それぞれ２つの係合部１１を有している。一方の端部における２つの係合部１１は、それぞれ、隣り合う前壁２Ｆの係止片１０と着脱可能に係合する。これらの係合により、前壁２Ｆ同士を着脱可能に連結することができる。また、他方の端部における２つの係合部１１は、それぞれ、隣り合う後壁３Ｆの係止片１０と着脱可能に係合する。これらの係合により、後壁３Ｆ同士を着脱可能に連結することができる。
【００７９】
前壁２Ｆの中央部に位置する非固定壁５２は、その両端部が、前壁２Ｆおよび後壁３に形成された嵌合溝７，７と着脱可能に係合する。
【００８０】
本変形例に係る吸音パネル１Ｆによれば、吸音パネル１Ｆを小さいパーツに分割することができる。
【００８１】
なお、第１実施形態および各変形例において、吸音パネル同士を着脱可能に連結する連結部（図示せず）を、外側の固定壁または外側の非固定壁に形成してもよい。例えば、外側の固定壁（２つの固定壁）のうちの一方に凸条を形成するとともに、他方に溝部を形成する。そして、隣接する吸音パネルの凸条と溝部を着脱可能に嵌合させてもよい。
【００８２】
（第２実施形態）
図１５〜２０を参照しつつ、第２実施形態に係る吸音パネル１Ｇについて説明する。
【００８３】
図１５に示されるように、吸音パネル１Ｇは、前壁２Ｇと、後壁３Ｇと、複数の区画壁５Ｇとを備える。前壁２Ｇ、後壁３Ｇ、および最も外側に位置する２つの区画壁５Ｇにより四角筒状の外郭部１５Ｇが形成される。
【００８４】
前壁２Ｇと後壁３Ｇの間には、外郭部１５Ｇによって囲まれる直方体状の吸音空間ＳＰが形成される。外郭部１５Ｇの軸方向両端部には、長方形状の開口部が形成される。
【００８５】
区画壁５Ｇは、第１固定壁５１Ｇ１と、第２固定壁５１Ｇ２と、第３固定壁５１Ｇ３とからなる。
【００８６】
第１固定壁５１Ｇ１は、後壁３Ｇの両端部に設けられるとともに、後壁３Ｇと一体成形され、前壁２Ｇと着脱可能に構成される。
【００８７】
第２固定壁５１Ｇ２は、後壁３Ｇの中央部に設けられるとともに、後壁３Ｇと一体成形され、前壁２Ｇと着脱可能に構成される。
【００８８】
第３固定壁５１Ｇ３は、第１固定壁５１Ｇ１と第２固定壁５１Ｇ２の間に設けられるとともに、後壁３Ｇと一体成形される。
【００８９】
図１５に示される例では、２つの第１固定壁５１Ｇ１と、１つの第２固定壁５１Ｇ２と、２つの第３固定壁Ｇ３とが設けられている。これら第１固定壁５１Ｇ１、第２固定壁５１Ｇ２、および第３固定壁５１Ｇ３が、吸音空間ＳＰを複数の区画領域ＳＰ２に区画するとともに、開口部を複数の開口部に区画する。
【００９０】
以下、各構成要素について詳細に説明する。なお、以下の説明では、図１５に示されるように、第１固定壁５１Ｇ１の長手方向と平行な方向（外郭部１５Ｇの開口部と直交する方向）を「第１方向」と称し、第１方向と直交しかつ前壁２Ｇの第１方向の端部に沿った方向を「第２方向」と称する。
【００９１】
前壁２Ｇは、例えば、図１５，１６に示されるように長方形状に形成される。前壁２Ｇの素材としては、例えば、ポリスチレン樹脂、ポリエチレン樹脂、塩化ビニル樹脂等の合成樹脂や、アルミニウム、アルミニウム合金等の金属を挙げることができるが、特に限定はされない。
【００９２】
前壁２Ｇには、複数の貫通孔８Ｇが形成される。この貫通孔８Ｇは、外部の音を吸音パネル１内に導くとともに、音が貫通孔８Ｇを通過する際のエネルギー損失によって吸音するためのものである。なお、前壁２Ｇの形状は長方形状に限定されるものではなく、正方形状等、他の形状であってもよい。
【００９３】
前壁２Ｇは、後壁３Ｇと対向するように後壁３Ｇと互いに平行に配置される。前壁２Ｇにおける後壁３Ｇ側の面（以下、「前壁２Ｇの内面」と称する）には、第１固定壁５１Ｇ１に形成された係合部１１Ｇと着脱可能に係合する係止片１０Ｇが突設される。係止片１０Ｇは、前壁２Ｇの第２方向両端部に設けられる。各係止片１０Ｇは、第１方向に延びる。各係止片１０Ｇは、先端に鉤状部を有している。各係止片１０Ｇにおいて、鉤状部は、前壁２の中央部側に向けて突出するように形成される。鉤状部の先端は丸みを帯びていてもよいし、尖っていてもよい。鉤状部の先端が丸みを帯びていると、鉤状部と係合部１１の間の摩擦力が小さくなり、係止片１０Ｇを係合部１１Ｇに着脱し易くなる。
【００９４】
また、前壁２Ｇの内面には、第２固定壁５１Ｇ２に形成された係合部１１Ｇと着脱可能に係合する係止片１０Ｇが突設される。係止片１０Ｇは、前壁２Ｇの第２方向中央部に２つ設けられる。各係止片１０Ｇは、第１方向に延びる。各係止片１０Ｇは、先端に鉤状部を有している。各係止片１０Ｇの鉤状部は、相対向する位置に形成される。
【００９５】
後壁３Ｇは、図１７に示されるように、正面視で前壁２とほぼ同じ大きさに形成される。後壁３Ｇには、図１７に示されるようにネジ等の締結用部材Ｎ（図１９参照）を挿通する貫通孔１３が形成されている。
【００９６】
２つの第１固定壁５１Ｇ１は、各々、第１方向に沿って延びている。２つの第１固定壁５１Ｇ１は、互いに平行に配置される。各第１固定壁５１Ｇ１は、前壁２Ｇ側の端部（以下、「前壁側端部」と称する）に係合部１１Ｇを有している。各係合部１１Ｇは、第１固定壁５１Ｇ１の側面から鉤状に突出している。係合部１１Ｇは、係止片１０Ｇの鉤状部と着脱可能に係合する。
【００９７】
第２固定壁５１Ｇ２は、第１方向に沿って延びている。第２固定壁５１Ｇ２は、前壁側端部に２つの係合部１１Ｇを有している。各係合部１１Ｇは、第２固定壁５１Ｇ２の両側面から鉤状に突出している。２つの係合部１１Ｇは、それぞれ、前壁２Ｇの中央部に設けられた２つの係止片１０Ｇの鉤状部と着脱可能に係合する。
【００９８】
第３固定壁５１Ｇ３は、第１方向に沿って延びている。各第３固定壁５１Ｇ３は、第２方向に並んでいる。前壁２Ｇの内面に、第３固定壁５１Ｇ３の一端部が当接する。
【００９９】
後壁３Ｇ、第１固定壁５１Ｇ１、第２固定壁５１Ｇ２、および第３固定壁５１Ｇ３は、不燃材料または難燃材料によって一体成形される。不燃材料、難燃材料の種類は特に限定されないが、例えば、無機質を主成分とする材料からなる。具体的には、後壁３Ｇ等は、セメント、けい石、およびパーライトを含む無機成分を全体の重量に対して８５重量％以上含んでいる。より具体的には、後壁３Ｇ等は、普通ポルトランドセメントが３０〜４５重量％、けい石が２０〜３５重量％、およびパーライトが１５〜３０重量％含んでおり、これらの無機成分が後壁３Ｇ等の組成のうち８５重量％以上を占めている。これにより、後壁３Ｇ等は、建築基準法施行令第一条第五号に定められた不燃性または準不燃性の条件を満たしている。また、本実施形態では、後壁３Ｇ等には、パルプが３〜１０重量％、および粘度調整剤が０．５〜５．０重量％含まれている。後壁３Ｇの厚みは、例えば４．５〜１５ｍｍに設定される。
【０１００】
吸音パネル１Ｇは、図１９に示されるように、例えば住宅等の壁面Ｗに設置することができる。壁面Ｗへ設置する際には、まず、前壁２Ｇを取り外した状態で、後壁３Ｇを壁面Ｗの設置位置に位置決めする。次に、後壁３Ｇに形成した貫通孔１３にネジ等の締結用部材Ｎを挿通し、締結用部材Ｎを壁面Ｗにねじ込むことにより、後壁３Ｇを壁面Ｗに固定する。次に、第１固定壁５１Ｇ１および第２固定壁５１Ｇ２の各係合部１１Ｇに、前壁２Ｇの係合部１０Ｇを係合する。これにより、吸音パネル１Ｇを壁面Ｗに設置することができる。図１９に示されるように複数の吸音パネル１Ｇを隣り合わせた状態で設置してもよい。
【０１０１】
次に、前壁２Ｇを第１固定壁５１Ｇ１および第２固定壁５１Ｇ２に対して着脱可能としたことによる作用効果について、図２０〜２２を参照しつつ説明する。
【０１０２】
貫通孔８Ｈを有する前壁２Ｈが予め準備されているものとする（図２１参照）。前壁２Ｈは、図２１に示されるように、前壁２Ｇよりも大きな厚さを有するとともに、前壁２Ｇの貫通孔８Ｇよりも大きな深さを有する貫通孔８Ｈを有している。
【０１０３】
図２０に示されるように、２つの第１固定壁５１Ｇ１および第２固定壁５１Ｇ２から前壁２Ｇを取り外した後、図２２に示されるように、前壁２Ｈの係止片１０Ｇを、第１固定壁５１Ｇ１および第２固定壁５１Ｇ２の係合部１１Ｇに係合させる。これにより、前壁２Ｇを前壁２Ｈに交換することができる。これにより、交換前と比べて、共振周波数を小さくして低い音を吸音することができる。
【０１０４】
なお、前壁２Ｇを、貫通孔８Ｇよりも貫通孔の深さが小さい前壁に交換してもよい。この場合には、交換前と比べて、共振周波数を大きくして高い音を吸音することができる。
【０１０５】
以上説明したように、本実施形態においても、前壁２Ｇの係止片１０Ｇを、第１固定壁５１Ｇ１および第２固定壁５１Ｇ２に形成された係合部１１Ｇに着脱可能とすることにより、前壁２Ｇを貫通孔の深さが異なる前壁２Ｈに交換することができる。従って、施工現場に応じて吸音周波数を容易に変更することができる。
【０１０６】
なお、前壁２Ｇを、図２３，２４に示される前壁２Ｊに交換してもよい。図２３，２４に示される前壁２Ｊは、貫通孔８Ｊの内周縁から吸音空間側に円筒状に延びる筒状部１４を有する。貫通孔８Ｇの直径と貫通孔８Ｊの直径を同じに設定するとともに、貫通孔８Ｊの深さと筒状部１４の長さの和を貫通孔８Ｇの深さと同じに設定すれば、図２２に示される吸音パネル１Ｇと図２３，２４に示される吸音パネル１Ｊの吸音周波数を同じに設定することができる。
【０１０７】
なお、上記各実施形態では、係止片に鉤状部を形成しているが、これに限られず、係止片を係合部に着脱可能に係合できるのであれば、係止片として他の構成を採用してもよい。
【０１０８】
また、図１５に示される例では、吸音パネル１Ｇは、第１方向の長さよりも第２方向の長さの方が大きいが、これに限定されず、第２方向の長さよりも第１方向の長さの方が大きくてもよい。
【０１０９】
また、各固定壁は、少なくとも吸音パネルを組み立てる時点において前壁２Ｇに着脱可能であればよく、組み立て完了後に接着剤等の固定手段により前壁２Ｇに固定されてもよい。
【符号の説明】
【０１１０】
１，１Ａ〜１Ｈ，１Ｊ  吸音パネル
２，２Ａ〜２Ｈ，２Ｊ  前壁
３，３Ｅ〜３Ｇ  後壁
５  区画壁
５１，５１Ｄ  固定壁
５１Ｇ１  第１固定壁
５１Ｇ２  第２固定壁
５１Ｇ３  第３固定壁
５２，５２Ｅ，５２Ｆ，５２Ｆ１  非固定壁
７  嵌合溝
８，８Ａ〜８Ｃ  前壁の貫通孔
９  凸条
１０，１０Ｄ，１０Ｇ  係止片
１１，１１Ｄ，１１Ｇ  係合部
１２，１４  筒状部
１３  後壁の貫通孔
１５  外郭部
１６，１６Ｄ  係合溝部
ＯＰ，ＯＰ１  開口部
ＳＰ  吸音空間
ＳＰ１  区画領域
【図１】
0006503162.tif 000002
【図２】
0006503162.tif 000003
【図３】
0006503162.tif 000004
【図４】
0006503162.tif 000005
【図５】
0006503162.tif 000006
【図６】
0006503162.tif 000007
【図７】
0006503162.tif 000008
【図８】
0006503162.tif 000009
【図９】
0006503162.tif 000010
【図１０】
0006503162.tif 000011
【図１１】
0006503162.tif 000012
【図１２】
0006503162.tif 000013
【図１３】
0006503162.tif 000014
【図１４】
0006503162.tif 000015
【図１５】
0006503162.tif 000016
【図１６】
0006503162.tif 000017
【図１７】
0006503162.tif 000018
【図１８】
0006503162.tif 000019
【図１９】
0006503162.tif 000020
【図２０】
0006503162.tif 000021
【図２１】
0006503162.tif 000022
【図２２】
0006503162.tif 000023
【図２３】
0006503162.tif 000024
【図２４】
0006503162.tif 000025